(57)【特許請求の範囲】
【請求項１】
ソックスであって、
１μｍ未満の径を有する合成繊維を含む少なくとも３つの第１の部分を備え、
前記少なくとも３つの第１の部分のうちの１つは前記ソックスのかかと領域に配置され、前記少なくとも３つの第１の部分のうちの別の１つは足の親指の下のつま先領域に配置され、前記少なくとも３つの第１の部分のうちのさらに別の１つは前記ソックスの上部帯状部に配置され、
前記少なくとも３つの第１の部分は、足を含包する前記ソックスの表面の３０％より大きく占めており、
前記ソックスは、１μｍ未満の径を有する合成繊維を用いない少なくとも１つの第２の部分をさらに備え、前記少なくとも１つの第２の部分は、前記かかと領域の前記第１の部分と前記足の親指の下のつま先領域の前記第１の部分との間に配置されている、前記ソックス。
【請求項２】
前記少なくとも３つの第１の部分は、前記ソックスの足底部に沿って、前記つま先領域から前記かかと領域に延在し、且つ、前記ソックスのアキレス腱部に沿って、前記かかと領域から前記上部帯状部に延在するように配置されている、請求項１に記載のソックス。
【請求項３】
前記少なくとも３つの第１の部分は、前記ソックスの内側および外側の表面に配置されている、請求項１または２に記載のソックス。
【請求項４】
前記少なくとも３つの第１の部分のうちのまたさらに別の１つを含む脛部をさらに備える請求項１〜３のいずれか１項に記載のソックス。
【請求項５】
前記合成繊維は、１００〜２００ｄｔｅｘの線密度を有する糸に組み込まれる、請求項１〜４のいずれか１項に記載のソックス。
【請求項６】
前記合成繊維は、乾燥状態に比べて湿潤状態において、スポーツシューズ内の前記第１の部分のより大きい摩擦力を提供するよう適合される、請求項１〜５のいずれか１項に記載のソックス。
【請求項７】
前記少なくとも３つの第１の部分は、前記足を含包する前記ソックスの表面の５０％より大きく占める、請求項１〜６のいずれか１項に記載のソックス。
【請求項８】
前記少なくとも３つの第１の部分は、前記足を含包する前記ソックスの表面の８０％より大きく占める、請求項１〜７のいずれか１項に記載のソックス。
【請求項９】
前記合成繊維は、１２０〜１８０ｄｔｅｘの線密度を有する糸に組み込まれる、請求項１〜８のいずれか１項に記載のソックス。
【請求項１０】
前記合成繊維は、１３０〜１７０ｄｔｅｘの線密度を有する糸に組み込まれる、請求項１〜９のいずれか１項に記載のソックス。
【請求項１１】
前記ソックスはサッカーソックスである、請求項１〜１０のいずれか１項に記載のソックス。
【発明の詳細な説明】
【技術分野】
【０００１】
本発明はソックス（sock）に関し、特にサッカーソックスに関する。さらに、本発明はシューズ（shoe）に関し、特にスポーツシューズに関する。
【背景技術】
【０００２】
ソックス、特にサッカーソックスは一般に、ソックスの着用者にある種の機能性を提供する。例えば足とシューズとの接触面を提供し、また足の皮膚を防護する。とりわけソックスは、シューズ内の着用者の足の安定性を高めることにも、大きく貢献し得る。
【０００３】
足の安定性を高めるための１つの選択肢は、ソックスにグリップ要素を提供することである。例えば、米国特許出願公開第２０１２／００５８３１６号明細書、米国特許出願公開第２０１５／０２７５４２２号明細書、米国特許第７７４８２４０号明細書、米国特許出願公開第２００５／０１４４７０３号明細書、米国特許出願公開第２００４／０２２１３７１号明細書、米国特許第８５４４３００号明細書、欧州特許第２０４３４６６号明細書、国際公開第９８／２０７５８号パンフレット、および独国実用新案公開第２０２１９０１５号明細書からの、グリップ要素が適用された様々なソックスが知られている。
【０００４】
しかし、グリップ要素が適用された従来のソックスは、グリップ要素が配置された部分で、例えばまめなどの皮膚の炎症を引き起こすことがある。さらに、従来のソックスは、ある種のスポーツで起こる高圧荷重を伴う動きの間に、高い滑り抵抗を提供するようには適合されていない。
【０００５】
帝人は、約７００ｎｍ厚のナノフロント（Ｎａｎｏｆｒｏｎｔ）（登録商標）という商品名で入手可能な合成繊維を提供している。この会社のプレスリリースによると（http://teijin.com/news/2012/ebd120110_00.html）、そのような繊維をソックスの製造に使用していることが知られ、つま先領域、かかと領域、および上部帯状部ではそのような繊維は使用されていない。さらに、この会社の別のプレスリリースによると（http://teijin.com/news/2012/ebd120704_01.html）、そのような繊維をランニングシューズのインソールおよび靴紐にも使用していることも、知られている。
【０００６】
さらに、ナイキもナノファイバーを含むソックスを提供している（http://news.nike.com/news/grip-socks）。
【０００７】
しかし、従来技術のソックスは、上記の難点を十分に克服できない。その結果、シューズ内の足の過度の滑り量を確実に防ぐことができず、それによって、次にはまめをもたらして足の動きの制御もできなくなる場合がある。
【先行技術文献】
【特許文献】
【０００８】
【特許文献１】米国特許出願公開第２０１２／００５８３１６号明細書
【特許文献２】米国特許出願公開第２０１５／０２７５４２２号明細書
【特許文献３】米国特許第７７４８２４０号明細書
【特許文献４】米国特許出願公開第２００５／０１４４７０３号明細書
【特許文献５】米国特許出願公開第２００４／０２２１３７１号明細書
【特許文献６】米国特許第８５４４３００号明細書
【特許文献７】欧州特許第２０４３４６６号明細書
【特許文献８】国際公開第９８／２０７５８号パンフレット
【特許文献９】独国実用新案公開第２０２１９０１５号明細書
【発明の概要】
【発明が解決しようとする課題】
【０００９】
したがって、本発明の基本的な課題は、上述の欠点の少なくとも一部を克服することである。
【課題を解決するための手段】
【００１０】
上述の課題の少なくとも一部は、本発明によるソックスで解決される。一実施形態において、ソックスは、（ａ）１μｍ未満の径を有する合成繊維を含む少なくとも１つの第１の部分を備え、（ｂ）少なくとも１つの第１の部分の内の１つは、ソックスのかかと部の少なくとも一部に配置され、（ｃ）少なくとも１つの第１の部分は、足を含包するソックスの表面の３０％より大きく、好ましくは５０％より大きく、さらに好ましくは８０％より大きく占める。
【００１１】
従来技術では、そのような繊維を主に中足部に含めることによって、シューズ内の足の向上した滑り抵抗が提供されるのに対して、本発明は異なる手法を基本としている。ここでソックスは、ソックスのかかと部の少なくとも一部に配置されたそのような繊維を含む１つまたは複数の第１の部分を含む。本発明者は、足のかかと領域は着用者の動きに対する大事な最初の接触点に相当することを見出した。したがって、シューズ内の滑りの動きに対して足を安定させることは、シューズのこの部分において非常に大切である。さらに本発明者は、向上した滑り特性を実現するために、ソックスの表面のかなりの割合を、そのような繊維で構成するべきであることも見出した。その結果、本発明の実施形態によるソックスは、その表面の３０％より大きく、好ましくは５０％より大きく、さらに好ましくは８０％より大きく、大幅に高めた滑り抵抗を提供する。この特徴は、加速、減速、および側方運動などの激しい動きの間、シューズ内の足の安定を提供する。さらに、滑り抵抗がより均一に分散されるため、シューズ内で滑る足の特定の部分における、いかなる点荷重もなくなる。したがって本発明は、まめなどの皮膚の炎症のリスクを低減し、それによって着用者に向上した防護を提供する。
【００１２】
そのような繊維の径は、人の毛髪の少なくとも６０倍細い。したがって、編まれて材料になり得る合成繊維は、従来の繊維に比べてより高い表面を提供し、それは高い滑り抵抗をもたらす。同時に、そのような繊維の使用は、従来の繊維を用いた同様の方法によってソックスを最適化する可能性を、大幅に制限しない。
【００１３】
一実施形態において、ソックスは、１μｍ未満の径を有する合成繊維を用いない、少なくとも１つの第２の部分をさらに備える。本発明者は、足のある領域はシューズ内で動かせなければならないことを見出した。すなわち、運動の間の各方向における足の十分な柔軟性を提供するために、そのような領域では滑り抵抗を高める必要はないであろう。例えば、サッカープレイヤーのような着用者が他のサッカープレイヤーと競っている場合に、ソックスは、足のかかと領域で高い滑り抵抗による十分な安定性を提供し、その他の部分では必要な柔軟性を提供し得る。
【００１４】
一実施形態において、ソックスは、足のかかと領域およびつま先領域で少なくとも２つの第１の部分を備える。さらに特定の実施形態において、第１の部分は足の親指の下のつま先領域に配置され得る。
【００１５】
特に足のつま先領域は、着用者の動きに対する別の大切な接触点に相当するために、そのような第１の部分の配置は、シューズ内の足の滑り抵抗をさらに高め得る。つま先領域はかかと領域から最も離れて位置する。すなわち、これら２つの領域の滑り抵抗を高めることは、シューズ内の足の任意の滑りを十分制御できる。
【００１６】
一実施形態において、少なくとも１つの第１の部分が、ソックスの内面および外面に配置される。本発明者は、滑り抵抗を高めるという本発明の概念は、両方の接触面、すなわち足とソックスとの間、およびソックスとシューズとの間に適用され得ることを見出した。第１の部分のそのような配置はさらなる安定性を提供し得る。
【００１７】
一実施形態において、ソックスは脛部をさらに備え、脛部は少なくとも１つの第１の部分を備える。ソックスの脛部のそのような第１の部分は、高い滑り抵抗を提供することが可能で、そのため脛当てのずれが少ない。このことは、良好な履き心地を維持すると同時に、着用者に最大の防護をもたらす。
【００１８】
一実施形態において、ソックスはその上部帯状部に少なくとも１つの第１の部分をさらに備える。ソックスの上部帯状部が第１の部分に高い滑り抵抗を提供する場合、ソックスが足首またはふくらはぎで不必要にずれ落ちることを防ぎ得る。
【００１９】
一実施形態において、合成繊維は、１００〜２００ｄｔｅｘ、好ましくは１２０〜１８０ｄｔｅｘ、最も好ましくは１３０〜１７０ｄｔｅｘの線密度を有する糸に組み込まれる。本発明者は、そのような糸は、ソックスの向上した滑り抵抗および安定性ならびに柔軟性の間で良好な折り合いを実現して、その結果ソックスは着用者の足にぴったりと、かつしっかりとフィットすることを見出した。
【００２０】
一実施形態において、合成繊維は、乾燥状態に比べて湿潤状態において、スポーツシューズ内の第１の部分のより大きい摩擦力を提供するよう適合される。特に、着用者が汗をかく傾向にある、および／または悪天候条件下に置かれ得るスポーツへの適用について、この効果は高くなる。なぜなら水が入ることは摩擦力に大きく寄与し得るからである。
【００２１】
さらに、本発明者は、そのような繊維を使用してシューズ内の足の滑り抵抗を高めるという新しい概念は、シューズにも適用できることを見出した。本発明の別の態様によると、シューズ特にスポーツシューズは、１μｍ未満の径を有する合成繊維による少なくとも１つの第１の部分を備える。上記で説明したように、そのような繊維は、シューズ内の足、またはシューズとボールなどの別のアイテムとの間の滑り抵抗を高めるための新しい可能性を提供する。本発明によるソックスと組み合わせるか、または本発明によるソックスなしで、そのようなシューズの着用者は高度に改善された安定性を運動中に体験し得る。さらに、そのようなシューズによって、まめの危険を避けることができ、または少なくとも低減することかできる。それによって履き心地に明確に寄与する。
【００２２】
一実施形態において、少なくとも１つの第１の部分が、シューズの内面に配置される。さらなる特定の実施形態において、少なくとも１つの第１の部分が、シューズのかかと部に配置され得る。さらに、少なくとも１つの第１の部分が、シューズのつま先部に配置され得る。またさらに、少なくとも１つの第１の部分が、足の親指の下の部に配置され得る。
【００２３】
これらの実施形態は全て、運動中のシューズ内の足のために高い滑り抵抗を提供するという同じ思想に従う。上記で説明したように、本発明者は、かかと領域およびつま先領域、特に足の親指の下の領域では、高い圧力荷重を伴う点または領域を表わすということを、計測から見出した。ここでの安定性は、特に効果的である。加速または減速などの、着用者の特定の動きの間、高いせん断力が発生し得る。高いグリップ特性を有するシューズのそのような領域に、第１の部分を提供することによって、足全体の滑り抵抗の大幅な向上が実現され得る。
【００２４】
一実施形態において、少なくとも１つの第１の部分が、シューズのアッパー例えばアッパーの内側に配置される。さらなる特定の実施形態において、少なくとも１つの第１の部分が、アッパーのかかと部の内側に配置され得る。さらに、少なくとも１つの第１の部分が、代替でまたは追加で、アッパーのつま先部の内側にも配置され得る。
【００２５】
シューズのアッパーは、足とシューズとの間の境界面の大部分を覆う。そのため、アッパーの内側に第１の部分を提供することによって、足の滑り抵抗はさらに高まる。その結果、そのようなシューズの着用者はアッパーをきつく縛る必要はなく、安定性を失うこともない。シューズにそのような第１の部分を提供することもまた考えられる。例えばそのような繊維を、靴紐を用いず単独の摩擦力としてアッパーの編成工程に組み込むことは、足に安定性を提供するのに十分であり得る。
【００２６】
一実施形態において、少なくとも１つの第１の部分が、アッパーの甲領域の内側に配置される。本発明者は、そのようなシューズはその内部の足の制御を向上させ得ることを見出した。例えば、サッカーにおける多くの基本的な動きは、チームメイトに正確にパスをするため、またはシュートするために、足の甲の使用を必要とする。
【００２７】
一実施形態において、少なくとも１つの第１の部分が、アッパーの外側に配置される。さらなる特定の実施形態において、少なくとも１つの第１の部分が、アッパーの甲の領域の外側に配置され得る。そのような実施形態は、上述の高い滑り抵抗および動きの制御という利点だけではなく、甲に接触するボールなどのアイテムの制御をさらに提供する。例えば、１つの第１の部分が甲の外側に配置される場合、サッカープレイヤーはシュートおよびパスをするために、より良好にボールを制御することが可能となり得る。さらに、そのような実施形態のアッパー表面の大きい摩擦力のために、サッカープレイヤーは並外れた回転ショットを実現できる。
【００２８】
一実施形態において、少なくとも１つの部分はボードラステッドシューズ（board lasted shoe）の靴型に配置できる。そのような実施形態は、高い滑り抵抗を提供するが、インソールを必要としない。
【００２９】
さらなる態様によると、本発明はソックスに関し、特に脛部を備えるサッカーソックスに関する。脛部は１μｍ未満の径の合成繊維を含む。
【００３０】
本発明の可能な実施形態は、以下の図面を参照して、以下の詳細な記述でさらに説明される。
【図面の簡単な説明】
【００３１】
【図１】足の平均した圧力荷重データを伴う足底のヒートマップを表わす図である。
【図２Ａ】本発明によるサッカーソックスの可能な実施形態を表わす図である。
【図２Ｂ】本発明によるサッカーソックスの可能な実施形態を表わす図である。
【図２Ｃ】本発明によるサッカーソックスの可能な実施形態を表わす図である。
【図２Ｄ】本発明によるサッカーソックスの可能な実施形態を表わす図である。
【図３】本発明の別の態様によるシューズの可能な実施形態の概略図である。
【発明を実施するための形態】
【００３２】
本発明の可能な実施形態および変形が、ソックスとシューズの特定の参照とともに以下で説明される。しかし、本発明の概念は、機能性スポーツウェアまたはスポーツ器具の部材のような任意のスポーツ器具に、同じにまたは同様に適用され得る。例えば、スポーツ器具の表面にそのような繊維を提供することによって、グリップ特性の改善をももたらし得る。したがって、例えばセンサ付き胸帯のようなストラップのような着用用途のため、例えばウエストバンドのようなスポーツアパレルのため、着用者の皮膚上の高い摩擦は良好なフィット性をもたらし得る。さらなる例において、より良好なグリップ特性はグローブの１つまたは複数の領域に提供され得、例えば下記に対して有利であり得る。すなわち、サッカーでは寒冷な天候条件でのゴールキーパーまたはフィールドプレイヤーのスローインなど、ラグビーではフィールドプレイヤーがボールをスローイング、キャッチング、保持するなど、アメリカンフットボールではクウォーターバックがボールを制御したりワイドレシーバーがボールをキャッチするなど、野球ではピッチャーがボールを投げたりフィールドプレイヤーがボールを捕る／投げるおよびバットを握るなど、アーチェリーでは矢を制御するなど、ダーツではダーツを投げるためにさらなる回転を加えるなど、モータースポーツではドライバーまたはピットクルーなど、サイクリングではハンドルを握るなど、フェンシングではフェンシング用武器の制御など、カヤックまたはボートではパドルを握るなど、乗馬では手綱を握るなど、射撃では武器の制御など、ゴルフではゴルフクラブを握るなど、寒冷条件下でのサーフィンでは波に落ちる前に立ち上がるなど、セーリングでは舵輪および／またはロープを握るなど、ならびにダイビングでは例えばカメラなどの備品を水中で保持するなど、である。さらなる例において、例えばサッカー、ラグビー、アメリカンフットボール、バスケットボール、野球などのボールのようなスポーツ器具の外表面、またはテニスラケット、ゴルフクラブ、野球のバット、バドミントンのラケット、クリケットのバット、アイスホッケーのスティック、ホッケーのスティック、スカッシュのラケット、卓球のラケットなどのスポーツ器具の一部分の表面などに、そのような繊維が提供され得る。さらなる例において、そのような繊維を含む特定のグリップ領域が提供されたバックパックなどのアウトドア器具は、バックパックを固定するのに有利であり得る。
【００３３】
さらに簡潔のために、限られた数の実施形態のみを以下に記述する。しかし当業者は、これらの実施形態を参照して説明した特定の特徴は、様々に修正および組み合わせられ得、特定の実施形態のある種の態様が省略され得ることを、理解するであろう。さらに、後続の詳細な記述において説明される態様は、上記の発明の概要で説明された態様と組み合わせられ得ることに、留意されたい。
【００３４】
図１は、詳細には右足の足底１００のヒートマップを表わす図である。足底１００のヒートマップは、２０人のプレイヤーの４つの主要なサッカーの動きから計測した、足の圧力荷重を平均したデータを表わす。示されたように、足底１００はかかと領域１１０、中足領域１２０、拇指球領域１３０、およびつま先領域１４０を備える。ヒートマップの結果、かかと領域１１０、拇指球領域１３０、および詳細には足の親指の下のつま先領域１４０は、足の平均した圧力荷重で最も高い値を示す部分１５０を含む。したがって、本発明の実施形態は、本発明の上述の利点を実現するために、これらの部分に高い滑り抵抗を提供し得る。
【００３５】
図２Ａ〜図２Ｄは、本発明によるサッカーソックス２００の実施形態を表わす。
【００３６】
図２Ａに示すように、サッカーソックス２００は、１μｍ未満（繊維は細か過ぎて図には示されない）の径を有する合成繊維を含む第１の部分２１０ａを備える。第１の部分２１０ａはサッカーソックス２００のかかと部に少なくとも部分的に配置される。このような繊維は、上述の帝人のような、複数の製造者から入手可能である。第１の部分２１０ａは、サッカーソックス２００のかかと部全てを実質的に含包する。加えて、第１の部分２１０ａはサッカーソックス２００の足首部および／または他の部分を含包し得る。足のかかと領域は多少堅いので、サッカーのようなスポーツ時の足の動きのための、特別な支持および摩擦制御を要する。あるいは、第１の部分２１０ａは、サッカーソックス２００のかかと部の下の領域のみを含包し得る。第１の部分２１０ａのそのような配置は、シューズ内の足の選択的な接着を実現するために使用され得る。すなわち、ソックスの他の部分はシューズ内で滑動できるような配置である。
【００３７】
また、サッカーソックス２００は、サッカーソックス２００の母指球部およびつま先部に配置される２つ目の第１の部分２１０ｂをさらに備え得る。要約すると、着用者に十分なグリップ特性を提供するために、第１の部分２１０ａおよび２１０ｂはソックス２００の外面の概ね３０％を占めることができる。図１に示すように、足の平均した圧力荷重の最高値は、足の対応する領域に現われる。したがって、上述したかかとの繊維の高いグリップ特性を提供することによって、ボールおよびつま先部に、滑り抵抗の大幅な改善を実現することができる。このことは、練習中および／または試合中の状況でサッカープレイヤーのパフォーマンスを最高にさせ得る。なぜならサッカープレイヤーはより高い安定性、および足からシューズへのより良好な圧力の伝達を有するからである。
【００３８】
一実施形態において、合成繊維はポリエステルのようなプラスチック材料から作られ得る。一般に当業者によく知られている、任意の他の適切な材料を使用し得ることも考えられる。
【００３９】
サッカーソックス２００は、１μｍ未満の径を有する合成繊維を用いない、第２の部分２２０をさらに備え得る。上述のように、例えば甲部の上側面のようなサッカーソックス２００の特定の部は、シューズ内の足を動かせるように、したがって望ましい柔軟性を提供するために、より低い滑り抵抗を提供するように設計され得る。第１の部分２１０ａおよび２１０ｂは、異なる厚さで構成し得ることも考えられる。そのような異なる厚さは、サッカーソックス２００が着用者の足の表面にしっかりとしたフィット性を提供するために有用であり得る。さらに、ある領域、例えばサッカープレイヤーのつま先領域を防護して怪我を防ぎ得るように、サッカープレイヤーがボールと接触するつま先領域において、より厚い部分がある種の緩衝を提供し得る。第１の部分内の厚さの変化に加えて、第１の部分および第２の部分の内の１つは異なる厚さで構成して、同様の利点をもたらし得ることが可能である。
【００４０】
図２Ａの実施形態において、第１の部分２１０ａ、２１０ｂはサッカーソックス２００の内面および外面に配置され得る。上記で説明したように、足とサッカーソックス２００との間、およびサッカーソックス２００とシューズとの間の繊維のそのような配置は、さらに高い滑り抵抗を提供し、それによってシューズ内の足にさらなる良好な安定性を提供し得る。
【００４１】
サッカーソックス２００は、第１の部分も含み得る脛部をさらに備えてよい（図２Ａには示さず）。上記で説明したように、多くのサッカープレイヤーは脛当てを着用する。脛部、特に着用者の膝下に第１の部分を提供することによって、脛当てはより確実に位置付けられ得る。これは、サッカーソックス２００がずれ下がるのを防ぎ得るため、履き心地の向上をもたらす。さらに、脛当てを紛失して防護を失うリスクを低減する。第１の部分が、本発明によるサッカーソックスの脛部全体の周りに延在し得ることも考えられ、それによって上述の利点をさらに強めることができる。
【００４２】
図２Ａの実施形態において、合成繊維は、乾燥状態に比べて湿潤状態において、スポーツシューズ内の第１の部分２１０ａ、２１０ｂのより大きい摩擦力を提供するよう適合され得る。ナノスケールで不均一なそれらの繊維は、サッカーソックス２００のより大きい表面を提供し、より大きい摩擦力を生じさせ得る。サッカープレイヤーが汗をかくか、または悪天候条件下に置かれ得る場合、水が入ることでさらなる摩擦力が生じ得るので、この効果は高くなる。換言すると、水は、サッカーソックス２００と足との間、およびサッカーソックス２００とシューズとの間の接着剤のように働き得る。
【００４３】
図２Ｂはさらなる実施形態を表わす。ここでサッカーソックス２００は、かかと部に１つの第１の部分２１０ａ、つま先部に１つの第１の部分２１０ｂ、および最後にサッカーソックス２００の中足部に３つ目の第１の部分２１０ｃを備える。さらに、サッカーソックス２００は、第１の部分２１０ａ、２１０ｂ、および２１０ｃの間に２つの第２の部分２２０も備える。要約すると、第１の部分２１０ａ、２１０ｂ、および２１０ｃは、ソックス２００の表面の概ね５０％を占め得る。高いグリップ特性を有する繊維のそのような配置は、長手方向の高い滑り抵抗量を必要とする跳躍運動に好適となり得る。
【００４４】
図２Ｃに示すように、別の実施形態のサッカーソックス２００は、例えばソックス２００の表面の８０％より大きく足底全体を含包する１つの第１の部分２１０を備える。さらに、サッカーソックス２００は１つの第２の部分２２０も備える。そのような第１の部分２１０の配置は、サッカープレイヤーの足底上の圧力伝達のための、最大可能な滑り抵抗を提供し得る。任意の方向におけるサッカープレイヤーの任意の動きのために、そのようなサッカーソックス２００は高い滑り抵抗を提供してよい。
【００４５】
図２Ｄは、さらなる実施形態の前面および後面を表わす。ここで、サッカーソックス２００は、足を含包するソックスの一部に、足底部に沿って、すなわち中足部の下面に沿って、サッカーソックス２００のつま先部からかかと部まで延在する１つの第１の部分２１０を備える。さらに、第１の部分２１０はかかと部からアキレス腱部に沿っても延在する。加えて、第１の部分は脚の下部を含包するソックス部にも延在する。例えば、図２Ｄに示すように、第１の部分２１０を有するサッカーソックス２００の上端部は、下ふくらはぎ部全体を含包し得る。さらに、サッカーソックス２００はまた、１μｍ未満の径を有する合成繊維を含まない、中足部の上面を覆う、１つの第２の部分２２０を備える。第１の部分２１０のそのような配置は、以下に記述するシューズ３００のようなスポーツシューズ内の足の高い安定性を提供し得る。したがって、足首の怪我またはアキレス腱の怪我のようなかかと部の怪我の可能性を、高い安定性によって防ぎ得る。
【００４６】
図３は本発明の別の態様によるシューズ３００の、特にサッカーシューズの可能な実施形態の概略図を表わす。サッカーシューズ３００は、アッパー３１０および１μｍ未満の径を有する合成繊維を含む第１の部分３２０ａを備える。第１の部分３２０ａはアッパー３１０の甲領域の外側に配置される。上記の説明のように、そのような高いグリップ特性を有する繊維の配置は、高い滑り抵抗および一方の側の動きの制御を提供し得る。例えば、ボール例えばサッカーボールのようなスポーツ器具をより良好に制御することが可能となり得る。他のタイプのスポーツシューズもまた、アッパー３１０の外側の第１の部分３２０ａなどから恩恵を受けられ得る。例えばクライミングシューズでは、第１の部分が岩上のシューズのアウトソールの滑り抵抗を高める。
【００４７】
Ａ−Ａ断面に示すように、シューズ３００は、シューズ３００のインソール３１５のつま先部、特に足の親指の下部に配置された、さらなる第１の部分３２０ｂを備えてよい。さらに、第１の部分３２０ｂはアッパー３１０のつま先部にも配置される。サッカーソックス２００の高い滑り抵抗に関する同様の考察が、シューズ３００に適用できる。表面を強化した薄い繊維は、さらなる摩擦力を提供し、それによってシューズ内の足の望ましくない滑りを防ぐ。
【００４８】
図３の実施形態において、Ｂ−Ｂ断面はシューズ３００が、シューズ３００のインソール３１５の中足領域に配置された第１の部分３２０ｃを、さらに備えてよい。図２Ｃに従って、サッカープレイヤーが加速するために十分な摩擦力を提供するために、中足領域は繊維の高いグリップ特性によって支持され得る。
【００４９】
Ｃ−Ｃ断面に示すように、シューズ３００は、アッパー３１０のかかと部の内側に配置された２つの第１の部分３２０ｄ、およびシューズ３００のインソール３１５のかかと部に配置された１つの第１の部分３２０ｃを備え得る。前述の安定性の利点は、サッカープレイヤーの足のかかと部にも適用する。さらに、足首の怪我などのかかと部の怪我の可能性は、シューズ３００内の足の高い安定性によって防ぐことができる。そのようなシューズは、第１の部分３２０ｂ、３２０ｃ、および３２０ｄを提供して、それらは例えばサッカーおよび／またはランニングのような素足で行うスポーツなど、素足での競技を可能にし得ることも考えられる。さらに、蹴る動き、および／または跳躍の動きの間、着用者の足の向上した安定性は着用者のパフォーマンスを向上させるのに役立ち得る。またさらに、例えばかかと部から足のつま先部の方向に沿って、その方向に足をより良好に固定させるために、繊維は特別な方向に織られ得る。足が十分に安定され得るので、向上したグリップ特性を提供することによって、追加の特別な中敷が必要なくなる可能性もある。
【００５０】
最後に、説明したソックスおよび説明したシューズの組合せもまた考えられることに留意されたい。したがって、本発明はそれらの組合せもまた対象として含み、ソックスおよびシューズの第１の部分の分布は、最大の滑り抵抗を提供するために相応するように、および／または相補的となるように明確に適合され得る。
【００５１】
本発明には、以下の態様が含まれる。
［１］
ソックス（２００）、特にサッカーソックスであって、
ａ．１μｍ未満の径を有する合成繊維を含む少なくとも１つの第１の部分（２１０ａ、２１０ｂ、２１０ｃ）を備え、
ｂ．前記少なくとも１つの第１の部分（２１０ａ、２１０ｂ、２１０ｃ）のうちの１つは、前記ソックス（２００）のかかと部の少なくとも一部に配置され、
ｃ．前記少なくとも１つの第１の部分（２１０ａ、２１０ｂ、２１０ｃ）は、足を含包する前記ソックス（２００）の表面の３０％より大きく、好ましくは５０％より大きく、より好ましくは８０％より大きく占める、前記ソックス（２００）。
［２］
１μｍ未満の径を有する合成繊維を用いない少なくとも１つの第２の部分（２２０）をさらに備える、［１］に記載のソックス（２００）。
［３］
足（１００）のかかと領域（１１０）およびつま先領域（１４０）に、少なくとも２つの第１の部分（２１０ａ、２１０ｂ、２１０ｃ）をさらに備える、［１］または［２］に記載のソックス（２００）。
［４］
第１の部分（２１０ａ、２１０ｂ、２１０ｃ）は、足（１００）の親指の下の前記つま先領域（１４０）に配置される、［３］に記載のソックス（２００）。
［５］
前記少なくとも１つの第１の部分（２１０ａ、２１０ｂ、２１０ｃ）は、前記ソックスの内側および外側の表面に配置される、［１］〜［４］のいずれかに記載のソックス（２００）。
［６］
前記少なくとも１つの第１の部分（２１０ａ、２１０ｂ、２１０ｃ）を含む脛部をさらに備える［１］〜［５］のいずれかに記載のソックス（２００）。
［７］
前記ソックス（２００）の上部帯状部に、少なくとも１つの第１の部分（２１０ａ、２１０ｂ、２１０ｃ）をさらに備える［１］〜［６］のいずれかに記載のソックス（２００）。
［８］
前記合成繊維は、１００〜２００ｄｔｅｘ、好ましくは１２０〜１８０ｄｔｅｘ、最も好ましくは１３０〜１７０ｄｔｅｘの線密度を有する糸に組み込まれる、［１］〜［７］のいずれかに記載のソックス（２００）。
［９］
前記合成繊維は、乾燥状態に比べて湿潤状態において、スポーツシューズ内の前記第１の部分（２１０ａ、２１０ｂ、２１０ｃ）のより大きい摩擦力を提供するよう適合される、［１］〜［８］のいずれかに記載のソックス（２００）。
［１０］
１μｍ未満の径を有する合成繊維の少なくとも１つの第１の部分（３２０ａ、３２０ｂ、３２０ｃ、３２０ｄ）備える、特にスポーツシューズであるシューズ（３００）。
［１１］
前記少なくとも１つの第１の部分（３２０ｂ、３２０ｃ、３２０ｄ）は、前記シューズ（３００）の内側に配置される、［１０］に記載のシューズ（３００）。
［１２］
前記少なくとも１つの第１の部分（３２０ａ、３２０ｂ、３２０ｄ）は、前記シューズ（３００）のアッパー（３１０）に配置される、［１０］または［１１］に記載のシューズ（３００）。
［１３］
前記少なくとも１つの第１の部分（３２０ｄ）は、前記アッパー（３１０）の内側に配置される、［１２］に記載のシューズ（３００）。
［１４］
前記少なくとも１つの第１の部分（３２０ｄ）は、前記アッパー（３１０）のかかと部の内側に配置される、［１３］に記載のシューズ（３００）。
［１５］
前記少なくとも１つの第１の部分（３２０ｂ）は、前記アッパー（３１０）のつま先部の内側に配置される、［１３］または［１４］に記載のシューズ（３００）。
［１６］
前記少なくとも１つの第１の部分は、前記アッパー（３１０）の中足領域の内側に配置される、［１３］〜［１５］のいずれかに記載のシューズ（３００）。
［１７］
前記少なくとも１つの第１の部分（３２０ａ）は、前記アッパー（３１０）の外側に配置される、［１２］に記載のシューズ（３００）。
［１８］
前記少なくとも１つの第１の部分（３２０ａ）は、前記アッパー（３１０）の前記中足領域の外側に配置される、［１７］に記載のシューズ（３００）。
［１９］
少なくとも１つの第１の部分（３２０ｂ、３２０ｃ、３２０ｄ）は、ボードラステッドシューズの靴型に配置される、［１１］に記載のシューズ（３００）。
［２０］
１μｍ未満の径を有する合成繊維を含む脛部を備える、特にサッカーソックスであるソックス（２００）。
【符号の説明】
【００５２】
１００  足
１１０  かかと領域
１２０  中足領域
１３０  母指球領域
１４０  つま先領域
１５０  足の平均した圧力荷重の最も高い値を示す部分
２００  ソックス
２１０  第１の部分
２１０ａ  第１の部分
２１０ｂ  第１の部分
２１０ｃ  第１の部分
２１０ｄ  第１の部分
２２０  第２の部分
３００  シューズ
３１０  アッパー
３１５  インソール
３２０ａ  第１の部分
３２０ｂ  第１の部分
３２０ｃ  第１の部分
３２０ｄ  第１の部分
【図１】
0006499224.tif 000002
【図２Ａ】
0006499224.tif 000003
【図２Ｂ】
0006499224.tif 000004
【図２Ｃ】
0006499224.tif 000005
【図２Ｄ】
0006499224.tif 000006
【図３】
0006499224.tif 000007